(57)【要約】【課題】  ワイヤハーネスの３次元配策を行うことのできるプロテクタおよびワイヤハーネスの製造方法を提供する。【解決手段】  配策板４０上で電線１１を２次元的に配策して、電線１１が挿入されたコルゲートチューブ１２の端部を第１部材２０の第１電線引き出し端部２２のチューブ仮固定手段２３により保持するので、コルゲートチューブ１２がばらけず作業性が改善される。また、３次元的に配策する場合でも一旦２次元的に配策するので、配策板４０を用いて電線束１１の配策を行うことができる。そして、コルゲートチューブ１２を保持している第１電線引き出し端部２２を揺動させて第２電線引き出し端部３２と係合させるので、第２電線引き出し端部３２が３次元的に設けられている場合には、３次元的なワイヤハーネスの製造を容易に行うことができる。【選択図】        図１
2005065399.tif 000002
【特許請求の範囲】
【請求項１】
ワイヤハーネスを構成する電線束を保護して所定方向へ分岐あるいは配策する配策路を内部に有し、該電線束を挿入した蛇腹状のコルゲートチューブが装着されるプロテクタであって、
前記プロテクタを、互いに係止し合って内部に配策路を形成する第１部材と第２部材とから形成し、前記第１部材が、配策時に前記コルゲートチューブを仮固定するチューブ仮固定手段を有するとともに基端部に該チューブ仮固定手段側を揺動させる揺動ヒンジを備えた第１電線引き出し端部を有し、前記第２部材が、前記第１部材に係合して前記チューブ仮固定手段に仮固定されたコルゲートチューブを固定するチューブ固定手段を備えた第２電線引き出し端部を有することを特徴とするプロテクタ。
【請求項２】
前記第１部材と前記第２部材が開閉ヒンジにより開閉自在に連結されていることを特徴とする請求項１に記載したプロテクタ。
【請求項３】
前記第２電線引き出し端部が前記ワイヤハーネスの配策平面に対して３次元的に設けられており、前記第１電線引き出し端部が前記揺動ヒンジにより前記第２電線引き出し端部に係合自在に設けられていることを特徴とする請求項１または２に記載したプロテクタ。
【請求項４】
請求項１〜３に記載したプロテクタを用いて電線束を所定形状に配策してワイヤハーネスを製造するワイヤハーネスの製造方法であって、
配策板上の所定位置に前記第１部材または第２部材の一方の部材を配置し、前記電線束を前記一方の部材を通って配策し、前記電線束が挿入されたコルゲートチューブの端部を前記第１部材の第１電線引き出し端部に設けられているチューブ仮固定手段により仮固定するとともに前記第２部材を前記第１部材に被せて係合させた後、前記プロテクタおよびコルゲートチューブを前記配策板から取り外し、前記第１電線引き出し端部を揺動ヒンジから揺動させて第２部材の第２引き出し端部に係合させて前記コルゲートチューブを固定することを特徴とするワイヤハーネスの製造方法。
【請求項５】
請求項１または２に記載したプロテクタを用いて電線束を所定形状に配策してワイヤハーネスを製造するワイヤハーネスの製造方法であって、
配策板上の所定位置に前記第１部材を配置し、前記電線束を前記第１部材を通って配策し、前記電線束が挿入されたコルゲートチューブの端部を前記第１部材の第１電線引き出し端部に設けられているチューブ仮固定手段により仮固定し、隣接する一方の第１電線引き出し端部を揺動ヒンジにより退避位置に揺動させてから前記コルゲートチューブのテープ巻きを行い、前記退避位置にある第１電線引き出し端部を元の位置に戻してから第２部材を第１部材に被せて係合することを特徴とするワイヤハーネスの製造方法。
【発明の詳細な説明】
【技術分野】
【０００１】
この発明は、配策される電線を保護するプロテクタおよびワイヤハーネスの製造方法に関するものである。
【背景技術】
【０００２】
従来、図８に示すような、ワイヤハーネスＷ／Ｈを構成する電線束１１０を保護する分岐プロテクタ１００が提案されている（例えば、特許文献１参照）。
【０００３】
図８に示すように、プロテクタ１００はワイヤハーネスＷ／Ｈを構成する電線束１１０と、電線束１１０を挿入した蛇腹状のコルゲートチューブ１１１を配置する本体１０１と、本体１０１に組みつけられる蓋体１０２とから構成される。
【０００４】
前記本体１０１は、一端部に一つのチューブ収容室１０３ａを有し、他端部に二つのチューブ収容室１０３ｂ、１０３ｃを有し、中央部に電線束１１０を収容する束収容室１０４を有している。
【０００５】
各チューブ収容室１０３ａ、１０３ｂ、１０３ｃの内面には、断面Ｕ字状の突条部１０５ａ、１０５ｂ、１０５ｃが周設されており、これら突条部１０５ａ、１０５ｂ、１０５ｃがそれぞれ対応するコルゲートチューブ１１１の凹部１１２を係止し、各コルゲートチューブ１１１を一時的に固定する。
【０００６】
前記蓋体１０２は、前記突条部１０５ａ、１０５ｂ、１０５ｃにそれぞれ相対向する湾曲状突起１０６ａ、１０６ｂ、１０６ｃを内面に有している。
【０００７】
これにより、各チューブ収容室１０３ａ、１０３ｂ、１０３ｃの突条部１０５ａ、１０５ｂ、１０５ｃと蓋体１０２の湾曲状突起１０６ａ、１０６ｂ、１０６ｃとがコルゲートチューブ１１１の凹部１１２に進入して上下から挟持するので、コルゲートチューブ１１１は分岐プロテクタ１００に確実に保持される。
【０００８】
すなわち、上記分岐プロテクタ１００によれば、本体１０１に蓋体１０２が取付けられる前に、コルゲートチューブ１１１が各チューブ収容室１０３ａ、１０３ｂ、１０３ｃに対して宙ぶらりんの状態でなく、本体１０１の各突条部１０５ａ、１０５ｂ、１０５ｃにちょうど仮係止された状態となる。
【０００９】
そこで、本体１０１と蓋体１０２との組み付け時には、コルゲートチューブ１１１の位置が本体１０１ないでずれたり、また作業者がわざわざ保持する必要がなくなり、組み付け作業を容易、かつ、迅速に行える。
【特許文献１】特開平１１−８９２２号公報（第３，４頁、第１図）
【発明の開示】
【発明が解決しようとする課題】
【００１０】
ところで、従来のワイヤハーネスの製造方法においては、例えば配策板の所定位置に配置された複数の配策治具上に、予め複数のプロテクタやコネクタ等をセットし、これら配策治具に複数本の電線を掛け渡しながらワイヤハーネスＷ／Ｈの電線束１１０を配策する。
【００１１】
このため、上述したような分岐プロテクタ１００では、電線束１１０を平面的に配策する平面配策の場合を対象としており、３次元的な配策を考慮していない。
【００１２】
従って、例えば分岐プロテクタにおいて電線束を曲げ降ろすような３次元的な配策を行えないという問題がある。
【００１３】
また、ワイヤハーネスＷ／Ｈの製造時には、例えばグロメットの止水部分等に粘着テープを巻き付ける場合があるが、分岐プロテクタ１００のチューブ収容室１０３ｂ、１０３ｃが接近している場合には、後から装着するコルゲートチューブ１１１には粘着テープを巻き付けられないという問題がある。
【００１４】
この発明の目的は、以上のような従来の技術の問題点に着目してなされたものであり、ワイヤハーネスの３次元配策を行うことのできるプロテクタおよびワイヤハーネスの製造方法を提供することにある。
【課題を解決するための手段】
【００１５】
上記の目的を達成するために、本発明のプロテクタは、ワイヤハーネスを構成する電線束を保護して所定方向へ分岐あるいは配策する配策路を内部に有し、該電線束を挿入した蛇腹状のコルゲートチューブが装着されるプロテクタであって、前記プロテクタを、互いに係止し合って内部に配策路を形成する第１部材と第２部材とから形成し、前記第１部材が、配策時に前記コルゲートチューブを仮固定するチューブ仮固定手段を有するとともに基端部に該チューブ仮固定手段側を揺動させる揺動ヒンジを備えた第１電線引き出し端部を有し、前記第２部材が、前記第１部材に係合して前記チューブ仮固定手段に仮固定されたコルゲートチューブを固定するチューブ固定手段を備えた第２電線引き出し端部を有することを特徴とするものである。
【００１６】
従って、プロテクタを第１部材および第２部材により構成し、第２部材の配策路に電線を配策した後に電線に装着されているコルゲートチューブを第１部材の第１電線引き出し端部に設けられているチューブ仮固定手段により仮固定するので、配策板上で電線を２次元的に配策する際に、電線がばたつかない。
【００１７】
そして、第１部材と第２部材とを係合させた後に、第１電線引き出し端部を揺動ヒンジを中心として揺動させて第２電線引き出し端部に係合させてチューブ固定手段により固定するので、複数の電線引き出し端部がある場合には、順次コルゲートチューブを固定することができる。
【００１８】
このため、プロテクタにより３次元配策することが可能になる。また、平面的な配策において、作業中に邪魔になるため３次元的に一時よけておいて作業できるので、作業性が良くなる。
【００１９】
また、本発明のプロテクタは、前記第１部材と前記第２部材が開閉ヒンジにより開閉自在に連結されていることを特徴とするものである。
【００２０】
従って、プロテクタを構成する第１部材と第２部材とは、開閉ヒンジにより連結されているので、両者を容易に一体化できる。
【００２１】
さらに、本発明のプロテクタおよびワイヤハーネスの製造方法は、前記第２電線引き出し端部が前記ワイヤハーネスの配策平面に対して３次元的に設けられており、前記第１電線引き出し端部が前記揺動ヒンジにより前記第２電線引き出し端部に係合自在に設けられていることを特徴とするものである。
【００２２】
従って、第２電線引き出し端部が３次元的に設けられている場合には、第１電線引き出し端部が電線が挿入されているコルゲートチューブの端部を仮固定し、この第１電線引き出し端部を揺動ヒンジを中心として揺動させる。
【００２３】
このため、第１電線引き出し端部と第２電線引き出し端部とを係合させることができるので、電線を３次元的に配策できる。
【００２４】
また、本発明のワイヤハーネスの製造方法は、前述したプロテクタを用いて電線束を所定形状に配策してワイヤハーネスを製造するワイヤハーネスの製造方法であって、配策板上の所定位置に前記第１部材または第２部材の一方の部材を配置し、前記電線束を前記一方の部材を通って配策し、前記電線束が挿入されたコルゲートチューブの端部を前記第１部材の第１電線引き出し端部に設けられているチューブ仮固定手段により仮固定するとともに前記第２部材を前記第１部材に被せて係合させた後、前記プロテクタおよびコルゲートチューブを前記配策板から取り外し、前記第１電線引き出し端部を揺動ヒンジから揺動させて第２部材の第２引き出し端部に係合させて前記コルゲートチューブを固定することを特徴とするものである。
【００２５】
従って、配策板上で電線を２次元的に配策して、電線が挿入されたコルゲートチューブの端部を第１部材の第１電線引き出し端部のチューブ仮固定手段により仮固定するので、コルゲートチューブがばらけず作業性が改善される。
【００２６】
また、３次元的に配策する場合でも一旦２次元的に配策するので、配策板を用いて電線の配策を行える。
【００２７】
そして、配策板から取り外した後にコルゲートチューブを仮固定している第１電線引き出し端部を揺動させて第２電線引き出し端部と係合させるので、第２電線引き出し端部が３次元的に設けられている場合には、３次元的なワイヤハーネスの製造を容易に行える。
【００２８】
そして、本発明のワイヤハーネスの製造方法は、前述したプロテクタを用いて電線束を所定形状に配策してワイヤハーネスを製造するワイヤハーネスの製造方法であって、配策板上の所定位置に前記第１部材を配置し、前記電線束を前記第１部材を通って配策し、前記電線束が挿入されたコルゲートチューブの端部を前記第１部材の第１電線引き出し端部に設けられているチューブ仮固定手段により仮固定し、隣接する一方の第１電線引き出し端部を揺動ヒンジにより退避位置に揺動させてから前記コルゲートチューブのテープ巻きを行い、前記退避位置にある第１電線引き出し端部を元の位置に戻してから第２部材を第１部材に被せて係合することを特徴とするものである。
【００２９】
従って、電線を２次元的に配策して、電線が挿入されたコルゲートチューブの端部を第１部材の第１電線引き出し端部のチューブ仮固定手段により仮固定するので、コルゲートチューブがばらけず作業性が改善される。
【００３０】
また、隣接するコルゲートチューブが接近している場合には、一方のコルゲートチューブが仮固定されている第１電線引き出し端部を揺動させて退避させることができるので、コルゲートチューブのテープ巻き等の作業を容易に行える。
【発明の効果】
【００３１】
本発明によるプロテクタは、３次元配策することが可能になる。また、平面的な配策において、作業中に邪魔になるため３次元的に一時よけておいて作業できるので、作業性が良くなる。
【００３２】
また、ワイヤハーネスの製造方法は、ワイヤハーネスの３次元配策を容易に行うことができる。そして、ワイヤハーネスの平面的な配策において、作業中に邪魔になるコルゲートチューブを３次元的に一時的によけておいて作業できるので、作業性が良くなる。
【００３３】
さらに、ワイヤハーネスの製造方法は、テープ巻き等の作業を行う際に隣接するコルゲートチューブが接近している場合でも、容易に作業を行うことができる。
【発明を実施するための最良の形態】
【００３４】
以下、この発明の第１実施形態を図面に基づいて詳細に説明する。図１は本発明にかかるプロテクタを開いた状態を示す斜視図、図２はコルゲートチューブをプロテクタの電線引き出し端部に取付けた状態を示す斜視図、図３は電線引き出し端部を揺動して係止した状態を示す斜視図である。
【００３５】
図１〜図３に示すように、プロテクタ１０は、互いに係止し合って内部に配策路を形成する第１部材２０と第２部材３０とから構成されており、第１部材２０と第２部材３０とは互いに係合自在に設けられている。
【００３６】
なお、ここでは、第１部材２０は、プロテクタ１０の前半部分の前側第１部材２０Ａと、後半部分の後側第１部材２０Ｂに分割されて構成されており、第２部材３０は一体のものである。
【００３７】
第２部材３０には、ワイヤハーネスＷ／Ｈを構成する電線束１１を保護して所定方向へ分岐あるいは配策する配策路３１を内部に有し、端部には電線束１１が出る複数の第２電線引き出し端部３２ａ、３２ｂ、３２ｃ、３２ｄ、３２ｅが設けられている。
【００３８】
また、配策路３１を形成している外壁３５の、一方の上端には第１部材２０Ａ、２０Ｂを開閉自在に支持する開閉ヒンジ２１が設けられ、他方の上端には第１部材２０Ａ、２０Ｂを係止するための係止凹部３６ａまたは係止突起３６ｂが適宜の位置に設けられている。
【００３９】
第２電線引き出し端部３２のうち、電線束１１を配策面に交差する上方あるいは下方へ３次元的に引き出す第２電線引き出し端部３２ａ、３２ｄには、第１電線引き出し端部２２に装着されているコルゲートチューブ１２を押えて固定するチューブ固定手段としての押え突起３３が設けられている。
【００４０】
また、平面的に電線束１１を引き出す第２電線引き出し端部３２ｂ、３２ｃ、３２ｅのうちコルゲートチューブ１２が取付けられる第２電線引き出し端部３２ｃ、３２ｅには、装着されるコルゲートチューブ１２を仮固定するチューブ仮固定手段としての突条部３４が設けられている。
【００４１】
一方、第１部材２０においては、前側および後側の第１部材２０Ａ、２０Ｂが、第２部材３０に対して各々開閉ヒンジ２１Ａ、２１Ｂにより開閉自在に設けられている。
【００４２】
また、第１部材２０Ａ、２０Ｂを閉じたときに第２部材３０の係止突起３６ｂに対向する外壁２６の上端には係止凹部２７ａが設けられており、第２部材３０の係止凹部３６ａに対向する位置には係止突起２７ｂが設けられている。
【００４３】
これにより、第１部材２０Ａ、２０Ｂと第２部材３０とを閉じたときに、互いに係止しあってプロテクタ１０を形成する。
【００４４】
第１電線引き出し端部２２のうち、電線束１１を上方あるいは下方へ３次元的に引き出す第１電線引き出し端部２２ａ、２２ｄには、装着されるコルゲートチューブ１２を仮固定するチューブ仮固定手段である突条部２３が設けられている。
【００４５】
また、平面的に電線束１１を引き出す第１電線引き出し端部２２ｃ、２２ｅには、第２電線引き出し端部３２ｃ、３２ｅに装着されているコルゲートチューブ１２を押えて脱落を防止するチューブ固定手段である押え突起２４が設けられている。
【００４６】
なお、第１部材２０および第２部材の一方に係止突起を設け、他方に係止凹部を設けるようにして互いに係止できるようにすれば良く、どちら側に係止突起または係止凹部を配置しても良い。
【００４７】
電線束１１を３次元的に引き出す第１電線引き出し端部２２ａ、２２ｄでは、基端部に揺動ヒンジ２５が設けられており、第１電線引き出し端部２２ａ、２２ｄの先端側が揺動可能になっている。
【００４８】
従って、コルゲートチューブ１２を第１電線引き出し端部２２ａ、２２ｄの突条部２３に仮固定した状態で第１電線引き出し端部２２ａ、２２ｄおよびコルゲートチューブ１２を揺動させることができる。
【００４９】
次に、上述したプロテクタ１０を用いた本発明にかかるワイヤハーネスＷ／Ｈの製造方法について説明する。
【００５０】
図４は、配策作業を示す斜視図である。図１〜図４に示すように、配策板４０上の所定位置に配策治具４１およびプロテクタ１０を取付けておく。
【００５１】
このとき、プロテクタ１０の第２部材３０を必要に応じた高さで配策板４０と平行に保持して、第１部材２０Ａ、２０Ｂを開けた状態で設置する。なお、第２部材３０が３次元的に構成されている場合でも、第１部材２０Ａ、２０Ｂは各々平面状態にされている。
【００５２】
そして、電線束１１が挿入されたコルゲートチューブ１２を配策治具４１に取付けて、電線束１１をプロテクタ１０の第２部材３０の配策路３１に沿って配策する。
【００５３】
このとき、第２部材３０の第２電線引き出し端部３２が平面的（配策板４０に平行）に設けられている場合には、第２電線引き出し端部３２ｂ、３２ｃ、３２ｅから電線束１１を引き出す。
【００５４】
一方、第２電線引き出し端部３２が３次元的（配策板４０に交差する方向）に設けられている場合には、第１電線引き出し端部２２ａ、２２ｄから引き出すように配策し、コルゲートチューブ１２の端部を第１電線引き出し端部２２ａ、２２ｄの突条部２３により仮固定する。
【００５５】
図２に示すように、第１部材２０Ａ、２０Ｂを開閉ヒンジ２１Ａ、２１Ｂを中心に回転させて第２部材３０に被せ、各係止突起２７ｂ、３６ｂを係止凹部２７ａ、３６ａに係止させてプロテクタ１０を閉じる。
【００５６】
このようにして配策板４０上における配策が完了したら、ワイヤハーネスＷ／Ｈおよびプロテクタ１０を配策板４０から取り外す。
【００５７】
その後、図３に示すように、コルゲートチューブ１２が取付けられている第１電線引き出し端部２２ａ、２２ｄを揺動ヒンジ２５から揺動させて、第２電線引き出し端部３２ａ、３２ｄに被せ、各係止突起２７ｂ、３６ｂを係止凹部２７ａ、３６ａに係止させて、ワイヤハーネスＷ／Ｈの製造を完了する。
【００５８】
以上説明した第１実施形態においては、プロテクタ１０を第１部材２０および第２部材３０により構成し、第２部材３０の配策路３１に電線束１１を配策した後に電線束１１に装着されているコルゲートチューブ１２を第１部材２０の第１電線引き出し端部２２に設けられている突条部２３により仮固定するので、配策板４０上で電線束１１を２次元的に配策する際に、電線束１１がばたつかない。
【００５９】
そして、第１部材２０と第２部材３０とを係合させた後に、第１電線引き出し端部２２を揺動ヒンジ２５を中心として揺動させて第２電線引き出し端部３２に係合させて押え突起３３により固定するので、複数の電線引き出し端部がある場合には、順次コルゲートチューブ１２を固定できる。
【００６０】
このため、プロテクタ１０により３次元配策することが可能になる。
【００６１】
なお、本発明のプロテクタおよびワイヤハーネスの製造方法は、前述した第１実施形態の構成に限定されるものではなく、本発明の趣旨に基づいて種々の形態を採用可能である。
【００６２】
例えば、第１部材２０Ａ、２０Ｂは２分割されている場合について説明したが、これに限らず、一体でも良いし、３分割以上に分割されていても良い。
【００６３】
さらに、第１部材２０と第２部材３０との間には開閉ヒンジ２１を介して連結されていたが、両部材２０、３０を切り離して別体としても良い。また、前述の実施形態においては、第２部材３０を配策板４０上に配置したが、第１部材２０が分割されておらず一体の場合には、第１部材２０を配策板４０上に配置するようにしても良い。
【００６４】
次に、第２実施形態について説明する。図５は本発明にかかるプロテクタを開いた状態を示す斜視図、図６はコルゲートチューブをプロテクタの電線引き出し端部に取付けた状態を示す斜視図、図７は電線引き出し端部を揺動して係止した状態を示す斜視図である。
【００６５】
図５に示すように、このプロテクタ５０は、互いに係止し合って内部に配策路を形成する第１部材６０と蓋状の第２部材７０とから構成されており、第１部材６０と第２部材７０とは互いに係合自在に設けられている。
【００６６】
第１部材６０の内部には配策路６１が設けられており、先端は二股に分岐していて、第１電線引き出し端部６２ａ、６２ｂが設けられている。第１電線引き出し端部６２ａ、６２ｂは、揺動ヒンジ６３を介して第１部材６０と各々連結しており、配策方向に交差する上下方向に揺動可能となっている。また、第１電線引き出し端部６２ａ、６２ｂの先端には、チューブ仮固定手段である突条部６４が設けられている。
【００６７】
第２部材７０は、中央に開閉ヒンジ７１を有する連結部材７２介して第１部材６０に開閉自在に連結されており、先端部は、第１電線引き出し端部６２ａ、６２ｂに対応した第２電線引き出し端部７３ａ、７３ｂが設けられている。
【００６８】
なお、図示はしないが、第２部材７０を開閉ヒンジ７１を中心にして回転させて第１部材６０の上部開口を覆うと、係止手段により互いに係止して一体化するようになっている。
【００６９】
次に、プロテクタ５０に電線束１１を配策して行うワイヤハーネスＷ／Ｈの製造方法について説明する。なお、前述した第１実施形態におけるワイヤハーネスの製造方法と共通する部位は省略して、第２実施形態の特徴部分を中心に説明する。
【００７０】
まず、図５に示すように、第１部材６０を下にして、第２部材７０を開け、第１部材６０の配策路６１に電線束１１を配策する。
【００７１】
電線束１１が挿入されたコルゲートチューブ１３の端部を第１電線引き出し端部６２ａ、６２ｂの突条部６４に仮固定する。
【００７２】
次いで、図６に示すように、一方の第１電線引き出し端部６２ａを揺動ヒンジ６３を中心として下方へ退避させ、他方の第１電線引き出し端部６２ｂに仮固定されているコルゲートチューブ１２のテープ巻きを行う。
【００７３】
他方の第１電線引き出し端部６２ｂについてテープ巻きが完了したら、他方の第１電線引き出し端部６２ｂを揺動ヒンジ６３を中止として下方へ退避させるとともに一方の第１電線引き出し端部６２ａを揺動ヒンジ６３を中心として上げる。
【００７４】
同様にして一方の第１電線引き出し端部６２ａについてテープ巻きが完了したら、他方の第１電線引き出し端部６２ｂを揺動ヒンジ６３を中心として上げ、両第１電線引き出し端部６２ａ、６２ｂを配策面上に戻す。
【００７５】
最後に、図７に示すように、第２部材７０を開閉ヒンジ７１を中心に回転させて第１部材６０の上部開口を覆い、第１部材６０と第２部材７０を係合させてワイヤハーネスＷ／Ｈの製造を完了する。
【００７６】
以上説明した第２実施形態においては、プロテクタ５０を第１部材６０および第２部材７０により構成し、第１部材６０の配策路６１に電線束１１を配策した後に電線束１１に装着されているコルゲートチューブ１２を第１部材の第１電線引き出し端部６２ａ、６２ｂに設けられている突条部６４により仮固定するので、作業中に電線束１１がばたつかない。
【００７７】
そして、第１電線引き出し端部６２ａ、６２ｂが接近している場合には、隣接する一方を揺動ヒンジ６３を中心に揺動させて退避させることができるので、他方のコルゲートチューブ１２にテープ巻き等の作業を容易に行うことができる。
【００７８】
なお、本発明のプロテクタおよびワイヤハーネスの製造方法は、上記実施形態の構成に限定されるものではなく、本発明の趣旨に基づいて種々の形態を採用可能である。
【００７９】
例えば、第１部材６０と第２部材７０との間には開閉ヒンジ７１を介して連結されていたが、両部材６０、７０を切り離して別体としても良い。
【００８０】
また、前述した第２実施形態においては、隣接するコルゲートチューブ１２の一方が仮固定された第１電線引き出し端部６２を揺動させて他方のコルゲートチューブ１２のテープ巻きを行い、その後両コルゲートチューブ１２を入れ替えて他方のコルゲートチューブ１２のテープ巻きを行ったが、一方のコルゲートチューブ１２を退避位置に揺動させた際に、一度に両コルゲートチューブ１２についてテープ巻きを行うこともできる。
【図面の簡単な説明】
【００８１】
【図１】本発明の第１実施形態にかかるプロテクタを開いた状態を示す斜視図である。
【図２】コルゲートチューブをプロテクタの電線引き出し端部に取付けた状態を示す斜視図である。
【図３】電線引き出し端部を揺動して係止した状態を示す斜視図である。
【図４】配策作業を示す斜視図である。
【図５】本発明の第２実施形態にかかるプロテクタを開いた状態を示す斜視図である。
【図６】コルゲートチューブをプロテクタの電線引き出し端部に取付けた状態を示す斜視図である。
【図７】電線引き出し端部を揺動して係止した状態を示す斜視図である。
【図８】従来のプロテクタを示す分解斜視図である。
【符号の説明】
【００８２】
１０  プロテクタ
１１  電線束
１２  コルゲートチューブ
２０  第１部材
２１  開閉ヒンジ
２２  第１電線引き出し端部
２３  突条部（チューブ仮固定手段）
２４  押え突起（チューブ固定手段）
２５  揺動ヒンジ
３０  第２部材
３１  配策路
３２  第２電線引き出し端部
４０  配策板
Ｗ／Ｈ  ワイヤハーネス
【図１】
2005065399.tif 000003
【図２】
2005065399.tif 000004
【図３】
2005065399.tif 000005
【図４】
2005065399.tif 000006
【図５】
2005065399.tif 000007
【図６】
2005065399.tif 000008
【図７】
2005065399.tif 000009
【図８】
2005065399.tif 000010